(57)【要約】【課題】エアマッサージ機構と振動マッサージ機構とを組み合わせて用いることを可能とする下肢用マッサージ機を提供する。【解決手段】本発明の下肢用マッサージ機１は、使用者Ｕの下肢に対してマッサージを行うマッサージ手段１０を有する下肢用マッサージ機１であって、マッサージ手段１０には、使用者Ｕの下肢を空気の圧力を用いてマッサージするエアマッサージ部１１と、使用者Ｕの足裏に対して振動する施療子１２を押し付けて足裏のマッサージを行う足裏マッサージ部１３とが設けられており、足裏マッサージ部１３が、エアマッサージ部１１が取り付けられたフレーム部材８から距離をあけて配備されると共に、フレーム部材８に対して防振部材１４を介して支持されている。【選択図】図３
2014221144.tif 000002
【特許請求の範囲】
【請求項１】
使用者の下肢に対してマッサージを行うマッサージ手段を有する下肢用マッサージ機であって、
前記マッサージ手段は、前記使用者の下肢を空気の圧力を用いてマッサージするエアマッサージ部と、前記使用者の足裏に対して振動する施療子を押し付けて足裏のマッサージを行う足裏マッサージ部とを有していて、
前記足裏マッサージ部が、前記エアマッサージ部が取り付けられたフレーム部材から距離をあけて配備されると共に、前記フレーム部材に対して防振部材を介して支持されていることを特徴とする下肢用マッサージ機。
【請求項２】
前記足裏マッサージ部は、振動を発生させる振動モータと、使用者の足裏を振動マッサージする施療子と、前記施療子を支持すると共に前記振動モータで発生した振動を施療子に伝達する振動板と、を有していることを特徴とする請求項１に記載の下肢用マッサージ機。
【請求項３】
前記防振部材は、前記フレーム部材と前記振動板との間に配備された第１の防振部材と、前記フレーム部材と前記振動モータとの間に配備された第２の防振部材と、を備えていることを特徴とする請求項２に記載の下肢用マッサージ機。
【請求項４】
前記振動板には、該振動板を上下方向に貫通する貫通孔が形成されており、
前記貫通孔には、前記振動板と振動時に接触しない距離をあけて第２の防振部材が挿通されており、
前記第２の防振部材の下端が前記フレーム部材に取り付けられると共に、前記第２の防振部材の上端に前記振動モータが支持されていることを特徴とする請求項３に記載の下肢用マッサージ機。
【請求項５】
使用者が着座可能な座部と、前記座部の前部に配備されたフットレスト部と、前記座部の後部に設けられて使用者の背部をマッサージ可能とされた背もたれ部と、を有する椅子型マッサージ機であって、
前記フットレスト部が請求項１〜４のいずれかに記載の下肢用マッサージ機を有することを特徴とする椅子型マッサージ機。
【発明の詳細な説明】
【技術分野】
【０００１】
本発明は、使用者の下肢に対して空気袋（エアバッグ）による押圧マッサージと振動マッサージとを同時に付与可能な下肢用マッサージ機、及びこの下肢用マッサージ機を備えた椅子型マッサージ機に関する。
【背景技術】
【０００２】
従来より、下肢をマッサージするための下肢用マッサージ機、乃至は下肢用マッサージ機を備えた椅子型マッサージ機は公知である。
例えば、特許文献１には、使用者の下肢のうち、くるぶしより上側に位置する脚部をエアバックにより押圧してマッサージするレッグレスト部と、くるぶしより下側に位置する足部をエアバッグにより押圧してマッサージするフットレスト部とを備えた椅子型マッサージ機が開示されている。
【０００３】
一方、特許文献２には、振動モータで発生した振動を利用して足裏に振動マッサージを行うことが可能な下肢用マッサージ機が開示されている。
【先行技術文献】
【特許文献】
【０００４】
【特許文献１】特開２００３−３８５９０号公報
【特許文献２】特開２００６−８７７４１号公報
【発明の概要】
【発明が解決しようとする課題】
【０００５】
近年、マッサージ機に対する使用者からの要求は多様となり、使用者の下肢に対してエアバッグによる押圧マッサージと振動マッサージとを同時に付与可能な下肢用マッサージ機の要求が高まっている。例えば、使用者の脚部をエアマッサージし、足部を振動マッサージするといったように、２つの方式を併用してマッサージを行うことのできる下肢用マッサージ機などが求められている。
【０００６】
ところが、上述したエアマッサージ機構を振動マッサージ機構と組み合わせて用いる場合、振動モータで発生した振動はマッサージ機の支持フレームなどを伝わってエアマッサージ機構の配管などに伝達する。そして、この振動が配管からのエア漏れなどを引き起こす可能性が高くなる。そのため、エアマッサージ機構と振動マッサージ機構とを組み合わせて用いるには、その構造（内部構造の設計）に十分な配慮が必要となる。
【０００７】
本発明は、上記事情に鑑みてなされたものであって、エアマッサージ機構と振動マッサージ機構とを組み合わせて用いることを可能とする下肢用マッサージ機、及びこの下肢用マッサージ機を備えた椅子型マッサージ機を提供することを目的とする。
【課題を解決するための手段】
【０００８】
前記目的を達成するため、本発明においては以下の技術的手段を講じた。
本発明の下肢用マッサージ機は、使用者の下肢に対してマッサージを行うマッサージ手段を有する下肢用マッサージ機であって、前記マッサージ手段は、前記使用者の下肢を空気の圧力を用いてマッサージするエアマッサージ部と、前記使用者の足裏に対して振動する施療子を押し付けて足裏のマッサージを行う足裏マッサージ部とを有していて、前記足裏マッサージ部が、前記エアマッサージ部が取り付けられたフレーム部材から距離をあけて配備されると共に、前記フレーム部材に対して防振部材を介して支持されていることを特徴とする。
【０００９】
なお、好ましくは、前記足裏マッサージ部は、振動を発生させる振動モータと、使用者の足裏を振動マッサージする施療子と、前記施療子を支持すると共に前記振動モータで発生した振動を施療子に伝達する振動板と、を有しているとよい。
なお、好ましくは、前記防振部材は、前記フレーム部材と前記振動板との間に配備された第１の防振部材と、前記フレーム部材と前記振動モータとの間に配備された第２の防振部材と、を備えているとよい。
【００１０】
なお、好ましくは、前記振動板には、該振動板を上下方向に貫通する貫通孔が形成されており、前記貫通孔には、前記振動板と振動時に接触しない距離をあけて第２の防振部材が挿通されており、前記第２の防振部材の下端が前記フレーム部材に取り付けられると共に、前記第２の防振部材の上端に前記振動モータが支持されているとよい。
本発明の椅子型マッサージ機は、使用者が着座可能な座部と、前記座部の前部に配備されたフットレスト部と、前記座部の後部に設けられて使用者の背部をマッサージ可能とされた背もたれ部と、を有する椅子型マッサージ機であって、前記フットレスト部が上述した下肢用マッサージ機を有することを特徴とする。
【発明の効果】
【００１１】
本発明の下肢用マッサージ機の技術によれば、エアマッサージ機構と振動マッサージ機構とを組み合わせて用いることが可能となり、使用者に効果的なマッサージを付与することができるようになる。
【図面の簡単な説明】
【００１２】
【図１】本発明の下肢用マッサージ機がフットレスト部として設けられた椅子型マッサージ機の外観斜視図である。
【図２】フットレスト部の外観構造を示す左斜視図である。
【図３】フットレスト部の内部構造を示す左斜視図である。
【図４】フットレスト部の振動モータ及び振動板を拡大して示した図である。
【図５】フットレスト部を底面側から見た右斜視図である。
【発明を実施するための形態】
【００１３】
以下、本発明の実施形態を、図を基に説明する。
図１は、本発明の下肢用マッサージ機１がフットレスト部３として設けられた椅子型マッサージ機２の斜視図を示している。
図１に示すように、この椅子型マッサージ機２は、使用者Ｕが着座する座部４と、この座部４の後部に設けられた背もたれ部５と、座部４の前部に設けられたフットレスト部３を有している。
【００１４】
以下、椅子型マッサージ機２に座った使用者Ｕから見た方向を基準として、椅子型マッサージ機２を説明する。すなわち、図１、図３において紙面に記載された方向に従って、椅子型マッサージ機２の説明を進める。
椅子型マッサージ機２の座部４は、上面に使用者Ｕが腰を下ろして着座できるように略水平に配備されている。座部４は、枠体と、この枠体の上に配備されたクッションと、枠体及びクッションを外側から覆うカバーと、を備えている。座部４の下部には、この椅子型マッサージ機２を床面へ設置するための脚体６が設けられており、この脚体６によって座部４が床面から所定高さに支持されるようになっている。
【００１５】
座部４の左右両側には、肘掛部７がそれぞれ設けられている。肘掛部７は、その底辺を床面に着けるようにして床面に起立するように設けられた板状の部材である。肘掛部７の上面は丸く湾曲した形状となっており、使用者Ｕが肘を載せやすくなっている。
背もたれ部５は、使用者Ｕが背中からもたれられるように座部４の後側に配備された部材である。背もたれ部５は、座部４の後側に設けられた左右方向を向く軸回りに揺動自在に枢支されており、脚体６内に配設されたリニアアクチュエータなどで構成されたリクライニング機構により、垂直に起立した状態から水平に倒れた状態にまでリクライニング可能となっている。また、背もたれ部５の内部には、揉みや叩きなどのマッサージ動作を行う背部用マッサージ機構（図示せず）が設けられている。
【００１６】
図１〜図３に示すように、椅子型マッサージ機２に設けられたフットレスト部３は、本発明の下肢用マッサージ機１を内蔵するものとなっている。
フットレスト部３は、座部４の下側に収納可能とされた筺状の部材であり、座部４の下側の収納位置から座部４の前方に進出することで使用者Ｕの下肢（以降では、膝より下側の部分を下肢と呼ぶ）を挿入可能となっている。フットレスト部３の内部には、フットレスト部３に加わる使用者Ｕの体重やマッサージの際の負荷に耐えられるように、上方から見て四角形の枠状に形成されたフレーム部材８（支持部材乃至は骨格部材）が設けられている。
【００１７】
具体的には、図２に示すように、フットレスト部３の前面には、使用者Ｕの下肢を挿入可能な左右一対の挿入凹部９、９が形成されている。これら２つの挿入凹部９、９は、椅子型マッサージ機２の前面に上下方向を向いて形成され、左右に所定間隔をあけて設けられている。この挿入凹部９は、互いが左右方向で対面するように形成された左右一対の側壁部９ａ、９ｂと、この左右一対の側壁部９ａ、９ｂの後端辺を左右方向に連結する後壁部９ｃとから構成されている。つまり、挿入凹部９は、使用者Ｕの下肢を前方から差し入れることができるように前方に向かって開口すると共に、上方から下肢を挿し込めるように上方に向かって開口している。
【００１８】
また、図２及び図３に示すように、上述したフットレスト部３の内部には、使用者Ｕの下肢に対してマッサージを行うマッサージ手段１０が搭載されている。このマッサージ手段１０には、使用者Ｕの下肢を空気の圧力を用いて押圧マッサージするエアマッサージ部１１と、使用者Ｕの足裏に振動する施療子１２を押し付けて足裏の振動マッサージを行う足裏マッサージ部１３とが設けられている。そして、本発明の椅子型マッサージ機２は、エアマッサージ部１１が取り付けられたフレーム部材８から距離をあけて足裏マッサージ部１３が配備されると共に、フレーム部材８に対して防振部材１４を介して足裏マッサージ部１３が支持されていることを特徴とするものである。
【００１９】
次に、本発明の椅子型マッサージ機２に備えられたフットレスト部３の構成、すなわち、フットレスト部３に内蔵された下肢用マッサージ機１に備えられたエアマッサージ部１１、足裏マッサージ部１３、この足裏マッサージ部１３に振動を付与する振動機構、及び足裏マッサージ部１３を支持する防振部材１４について説明する。
図２に示すように、エアマッサージ部１１は、上述した挿入凹部９の側壁部９ａ、９ｂの表面に設けられた空気袋１５を有している。この空気袋１５は、左右の挿入凹部９、９のそれぞれに対して、左側の側壁部９ａの表面と右側の側壁部９ｂの表面とに配備されている。また、空気袋１５には、図示しないポンプなどからエア配管１６を介して空気などが送られており、送られた空気の圧力を利用して空気袋１５は膨張収縮可能とされている。つまり、エアマッサージ部１１では、空気袋１５を膨張させたり収縮させたりすることで施療部を押圧してマッサージが行われる。なお、この挿入凹部９は、実際には布などのカバーにより覆われており、空気袋１５が直接使用者Ｕの皮膚に触れることがないようになっている。
【００２０】
挿入凹部９の上側（すなわち、脚部挿入部１７）に配備されたエアマッサージ部１１は、挿入凹部９に挿入される使用者Ｕの下肢のうち、くるぶしより上方に位置する脛やふくらはぎといった脚部に対して押圧マッサージを行っている。加えて、挿入凹部９の下側（足部挿入部１８）に配備されたエアマッサージ部１１は、挿入凹部９に挿入される使用者Ｕの下肢のうち、くるぶしよりさらに下方に位置する足部の側部に対して押圧マッサージを行っている。
【００２１】
これら押圧マッサージを行う空気袋１５やエア配管１６は、フットレスト部３の骨格を構成するフレーム部材８に取り付けられている。つまり、フレーム部材８には、エアマッサージ部１１が取り付けられている。
一方、挿入凹部９の下側（足部挿入部１８）に設けられた足裏マッサージ部１３は、足部の裏側（足裏）に対して振動マッサージを行っている。
【００２２】
図３及び図４に示すように、足裏マッサージ部１３は、挿入凹部９に挿入された使用者Ｕの足部の足裏を下方から振動マッサージするものである。具体的には、足裏マッサージ部１３は、足部挿入部１８の内部に収容された振動を発生させる振動モータ１９と、使用者Ｕの足裏を振動マッサージする施療子１２と、施療子１２を支持すると共に振動モータ１９で発生した振動を施療子１２に伝達する振動板２０とを有している。
【００２３】
振動モータ１９は、回転軸が下方を向くように配備されており、左右方向の中央に設けられている。この振動モータ１９の回転軸の先端部には、後述する振動発生部２１が設けられているため、回転軸の回転に伴い振動が発生するようになっている。この振動モータ１９は、左右一対に設けられた足部挿入部１８の間に位置する側壁部の内部に配備される。
【００２４】
側壁部の内部において、振動モータ１９は、上方から見て四角形状の支持板２２の上面に４本のネジ２３を用いて固定されている。また、この支持板２２は、左右方向の幅が振動モータ１９と略等しく、前後方向の長さが振動モータ１９よりも長く形成されており、四隅に配備された４本の振動モータ用支柱２４（第２の防振部材１４）を用いて下方から支持されている。
【００２５】
これら４本の振動モータ用支柱２４の上端は支持板２２の下面に連結され、下端はフレーム部材８に取付台座３０を用いて固定されていて、振動モータ用支柱２４はフットレスト部３のフレーム部材８と振動モータ１９との間を連結している。振動モータ１９が連結されるフレーム部材８は、挿入凹部９の下側（足部挿入部１８）を構成する支持部材である。
【００２６】
また、それぞれの振動モータ用支柱２４は、いずれも天然ゴム、スチレンブタジエンゴム、クロロプレンゴム、ニトリルゴムなどを組み合わせた弾性材料（防振ゴム）で円柱状に形成されており、振動モータ１９で発生した振動がフレーム部材８に伝播することを抑制できるようになっている。
なお、振動モータ用支柱２４が固定されるフレーム部材８は、上方から見た場合に四角形の枠状となるように形成されている。そして、振動モータ１９を支持する４本の支柱は、このフレーム部材８における左右方向の中央に固定されている。
【００２７】
このように左右方向の中央に位置する振動モータ１９で、左右両側に位置する２つの施療子１２を振動させる構成を採用すれば、施療子毎に振動モータを設けて駆動する必要がなくなり、マッサージ機の構成を簡単なものとすることが可能となる。
一方、使用者Ｕの足部の裏側に対応する位置に配置された施療子１２は、上方に向かって膨出するような略半球状の外観を備えた部材である。施療子１２の上側にはさらに上方に向かって突出するつぼ押し突起２５が形成されており、施療子１２を振動させればつぼ押し突起２５が使用者Ｕの足裏の施療部（つぼ）を刺激できるようになっている。また、左右それぞれの施療子１２は、いずれも下端が振動板２０に固定されており、振動板２０を振動させることで施療子１２を振動板２０と同じ方向に振動可能となっている。
【００２８】
上記した施療子１２が一体に形成されている振動板２０（図４及び図５においてグレーで示される部分）は、上方から見た場合に左右方向に長尺な長方形状に形成された板状の部材である。振動板２０は、左右方向の中途側が複数回に亘って上下に折り返されており、左右方向の左端側、中央側、右端側の３箇所が前方から見て上方に向かって凸状に隆起したような形状とされている。これら凸状に隆起した部分の間、言い換えれば、前方から見て凹状になった部分に、前述の施療子１２が一体に形成されている。
【００２９】
なお、上述した施療子１２は射出成形などで振動板２０と一体物として形成されていても良いし、施療子１２を振動板２０と別部材として形成しておいて、嵌め込みやねじ込みなどの手段、あるいはネジなどを用いて施療子１２を振動板２０に固定しても良い。
そして、この凸状に隆起した振動板２０の左端側及び右端側には、振動板２０をフレーム部材８に固定する振動板用支柱２６（第１の防振部材１４）が設けられている。この振動板用支柱２６は、振動板２０の左端側と右端側とのそれぞれに対して、前後方向に並んで２つずつ、合計４つ設けられている。この振動板用支柱２６も、上述した振動モータ用支柱２４と同様な弾性材料で円柱状に形成されており、フットレスト部３のフレーム部材８と振動板２０との間に発生する振動を抑制できるようになっている。
【００３０】
また、凸状に隆起した振動板２０の中央側は上方から見て四角形状に形成されており、この四角形状とされた振動板２０の中央側の四隅には当該振動板２０を上下方向に貫通する貫通孔２７が形成されている。この貫通孔２７には、円柱状に形成された振動モータ用支柱２４が挿通されている。詳しくは、貫通孔２７は振動モータ用支柱２４の外径より大きな径を備えた円形に形成されており、振動モータ用支柱２４が振動しても振動板２０と接触しない程度の距離を空けて形成されている。
【００３１】
さらに、凸状に隆起した振動板２０の中央側には、上述した振動モータ１９で発生した回転駆動力を振動に変換する振動発生部２１が設けられている。
つまり、この振動発生部２１は、振動モータ１９から下方に伸びる回転軸の下端に取り付けられた円盤状の部材である。この円盤状の振動発生部２１は、外観上は円盤の中心に振動モータ１９の回転軸が取り付けられた回転対称な構造であるが、重心は円盤の中心から偏心した位置にあるようなウェイトを有する構造となっている（偏心荷重円盤）。したがって、この振動モータ１９の回転軸を回転させれば偏心回転により振動発生部２１で振動が発生し、振動発生部２１で発生した振動が振動板２０に伝達するので、振動板２０を振動させることが可能となる。
【００３２】
上述したように、振動板２０とフレーム部材８とを結ぶ第１の防振部材１４（振動板用支柱２６）及び第２の防振部材１４（振動モータ用支柱２４）にて減衰されるような構造を採用すれば、発生した振動が振動板２０からフレーム部材８へと伝播することが抑制されるようになる。
ところで、図５に示すように、本実施形態の下肢用マッサージ機１では、フレーム部材８に対する振動板２０の連結を確実なものとするために、施療子１２の裏面とフレーム部材８とが施療子支持部２８（第３の防振部材１４）で連結されるものとなっている。この施療子支持部２８（第３の防振部材１４）も振動板用支柱２６や振動モータ用支柱２４と同じ弾性体で構成されている。
【００３３】
ところで、図５に示すように、エアマッサージ部１１に空気を送るエア配管１６は、フットレスト部３の内部を巡回してポンプと空気袋１５（エアバッグ）との間を結んでいる。このエア配管１６はフレーム部材８上に敷設されており、上述した振動板２０や振動モータ１９から距離をあけた位置に配設されていて、振動がエア配管１６やエア配管１６の接続部に影響して、エア配管１６から空気が漏れないように配慮されている。例えば、振動板２０の周囲を例に挙げれば、エア配管１６は振動板２０の前端からさらに前方に距離を空けて敷設されると共に後端からさらに後方に距離をあけて設けられており、エア配管１６に振動板２０の振動が伝達しない構造となっている。
【００３４】
次に、上述した足裏マッサージ部１３を用いて下肢をマッサージする方法、言い換えれば本発明の椅子型マッサージ機２に備えられた下肢用マッサージ機１の作動態様について説明する。
まず、エアマッサージ部１１については、ポンプなどを起動させてエアマッサージ部１１に空気を送り、エアマッサージ部１１の空気袋１５を膨張させる。そうすると、空気袋１５が膨張し、膨張した空気袋１５に押動されてマッサージ板などが施療部を押圧し、マッサージが行われる。
【００３５】
このとき、足裏マッサージ部１３で、振動モータ１９を発生させる。そうすると、振動モータ１９で発生した回転が回転軸を介して振動発生部２１に伝達し、振動発生部２１が回転する。振動発生部２１は上述したように偏心した位置にウェイトを有する構造であるため、回転軸を中心に振動発生部２１を回転させると振動発生部２１で振動が発生する。この振動発生部２１で発生した振動は振動板２０に伝達し、振動板２０が振動することになる。
【００３６】
振動板２０が振動すると、振動板２０に固定された施療子１２も振動し、施療子１２の上端に取り付けられたつぼ押し突起２５が足裏のツボを刺激するので、足裏の施療部に対して足裏マッサージ行うことが可能となる。
なお、上述した足裏マッサージ部１３での振動マッサージと、エアマッサージ部１１でのエアマッサージは、連動して動作するものであっても良いし、それぞれ独立に動作するものであっても良い。
【００３７】
例えば、両マッサージ部１１、１３が連動するような使用態様としては、まずエアマッサージ部１１の空気袋１５を膨張させて使用者の下肢（ふくらはぎ)を固定しておき、ふくらはぎを固定した状態で、使用者の下肢（足裏）に施療子１２を用いて振動マッサージを行うものを挙げることができる。このようにすることで、使用者の足裏を効果的に振動マッサージすることが可能となる。また、マッサージを受ける使用者に与える体感を変えることもでき、よりバリエーションに富んだマッサージを行うことが可能となる。
【００３８】
上述した振動板２０は第１の防振部材１４である振動板用支柱２６を介してフレーム部材８に取り付けられており、また上述した振動モータ１９は第２の防振部材１４である振動モータ用支柱２４を介してフレーム部材８に取り付けられている。加えて、この振動モータ用支柱２４は、振動板２０と振動時に接触しない距離をあけて振動板２０の貫通孔２７に挿通されている。つまり、振動モータ１９で発生した振動は、振動板２０に伝達することはあっても、振動モータ１９からフレーム部材８に伝達することはないし、振動板２０からフレーム部材８に伝達することもない。それゆえ、フレーム部材８に配設されたエア配管１６やエア配管１６の接続部に振動が伝達することもなく、振動がエア配管１６の接続部を緩ませてエア配管１６からのエア漏れなどを引き起こすことが抑制され、エアマッサージ機構と振動マッサージ機構とを組み合わせて支障なく用いることが可能となる。
【００３９】
本発明は上記各実施形態に限定されるものではなく、発明の本質を変更しない範囲で各部材の形状、構造、材質、組み合わせなどを適宜変更可能である。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００４０】
例えば、本実施形態では、下肢用マッサージ機１を、図１に示すような椅子型マッサージ機２に取り付けられたもの（フットレスト部３）として説明を行ったが、この実施形態には限定されない。下肢用マッサージ機１単体の装置であっても、本発明は実現可能である。
また、下肢用マッサージ機１の挿入凹部９の上側（脚部挿入部１７）と挿入凹部９の下側（足部挿入部１８）とは、脚部挿入部１７に対して足部挿入部１８を近接離反させる移動手段により、互いが近接離反する構成とされていてもよい。移動手段は、脚部挿入部１７と足部挿入部１８とを連結して、脚部挿入部１７に対して足部挿入部１８を近接離反させるように動作させるアーム部材から構成されているとよい。
【００４１】
また、図２〜図４に示すように、施療子１２の前後部分には、使用者Ｕの足裏を温めるための温熱手段２９が設けられているとよい。この温熱手段２９は、例えば、ＰＴＣヒータなどの面ヒータで構成されていて、フレーム部材８に固定されるようにするとよい。このように振動が伝播しないフレーム部材８に温熱手段２９を固定しておけば、温熱手段２９自体に振動が伝わらなくなる。とはいえ、温熱手段２９を振動板２０などに固定して、振動板２０と一緒に温熱手段２９を振動させることも可能である。
【符号の説明】
【００４２】
１  下肢用マッサージ機
２  椅子型マッサージ機
３  フットレスト部
４  座部
５  背もたれ部
６  脚体
７  肘掛部
８  フレーム部材
９  挿入凹部
９ａ  左側の挿入凹部の側壁部
９ｂ  右側の挿入凹部の側壁部
９ｃ  挿入凹部の後壁部
１０  マッサージ手段
１１  エアマッサージ部
１２  施療子
１３  足裏マッサージ部
１４  防振部材
１５  空気袋
１６  エア配管
１７  脚部挿入部
１８  足部挿入部
１９  振動モータ
２０  振動板
２１  振動発生部
２２  支持板
２３  ネジ
２４  振動モータ用支柱
２５  つぼ押し突起
２６  振動板用支柱
２７  貫通孔
２８  施療子支持部
２９  温熱手段
Ｕ  使用者
【図１】
2014221144.tif 000003
【図２】
2014221144.tif 000004
【図３】
2014221144.tif 000005
【図４】
2014221144.tif 000006
【図５】
2014221144.tif 000007